(57)【要約】【課題】  免震装置を精度良く設置することができる免震構造物の構築方法を提供することである。【解決手段】  免震構造物の構築方法は、頭部が地面８から突出するように打設された鋼管６内にコンクリート７を充填し、該コンクリート７を鋼管６から溢れ出させて頭部を覆う根巻きコンクリート１０を形成し、該根巻きコンクリート１０の上に免震装置４を固定した後、該免震装置４の上に基礎３を形成して上部躯体を構築することである。【選択図】図１
2006291470.tif 000002
【特許請求の範囲】
【請求項１】
頭部が地面から突出するように打設された鋼管内にコンクリートを充填し、該コンクリートを鋼管から溢れ出させて頭部を覆う根巻きコンクリートを形成し、該根巻きコンクリートの上に免震装置を固定した後、該免震装置の上に基礎を形成して上部躯体を構築することを特徴とする免震構造物の構築方法。
【請求項２】
根巻きコンクリートを形成した後に、免震装置における縦方向の貫通孔から鋼管のコンクリート内に引張材の下部側を挿入し、引張材の上部側を免震装置における縦方向の貫通孔から導出して基礎に定着することを特徴とする請求項１に記載の免震構造物の構築方法。
【請求項３】
免震装置は、円形の薄鋼板と円形の薄ゴム板とを交互に積層し、これらの上下端部に取付鋼板を一体的に設けたものであることを特徴とする請求項１または２に記載の免震構造物の構築方法。
【発明の詳細な説明】
【技術分野】
【０００１】
本願発明は免震構造物の構築方法に関するものである。
【背景技術】
【０００２】
従来の免震構造物３１は、図８に示すように、基礎３２に設置された免震装置３４で上部躯体３３を支持し、該上部躯体３３と基礎３２との間に免震ダンパ３５が設置されて構成されていた。この免震装置３４は円形の薄鋼板３６と円形の薄ゴム板３７とが交互に積層され、その上下端部に取付鋼板３８が一体的に設けられて構成されていた。そして、この取付鋼板３８により基礎３２に設置されていた。その他の免震構造物としては、例えば特開２００２−１１５４２０号の発明が知られている。
【０００３】
【特許文献１】特開２００２−１１５４２０号公報
【発明の開示】
【発明が解決しようとする課題】
【０００４】
しかし、上記の免震構造物においては免震装置を基礎に設置する際のレベル調整が容易ではなく、高い設置精度を確保することが困難であるという問題があった。
【０００５】
本願発明はこれらの問題に鑑みてなされたものであり、その目的は、免震装置を精度良く設置することができる免震構造物の構築方法を提供することである。
【課題を解決するための手段】
【０００６】
以上の課題を解決するための免震構造物の構築方法は、頭部が地面から突出するように打設された鋼管内にコンクリートを充填し、該コンクリートを鋼管から溢れ出させて頭部を覆う根巻きコンクリートを形成し、該根巻きコンクリートの上に免震装置を固定した後、該免震装置の上に基礎を形成して上部躯体を構築することを特徴とする。また根巻きコンクリートを形成した後に、免震装置における縦方向の貫通孔から鋼管のコンクリート内に引張材の下部側を挿入し、引張材の上部側を免震装置における縦方向の貫通孔から導出して基礎に定着することを含む。また免震装置は円形の薄鋼板と円形の薄ゴム板とを交互に積層し、これらの上下端部に取付鋼板を一体的に設けたものであることを含むものである。
【発明の効果】
【０００７】
頭部を覆う根巻きコンクリートの上に免震装置を固定することにより、免震装置を精度良く設置することができる。また鋼管と調整板との間に隙間が形成されず、しかも軸力を鋼管ではなくコンクリートを介して支持地盤に伝達させることができる。
【発明を実施するための最良の形態】
【０００８】
以下、本願発明の免震構造物の構築方法の実施の形態を図面に基づいて説明する。はじめに免震構造物の実施の形態について説明し、その後に免震構造物の構築方法の実施の形態について説明するが、各実施の形態において同じ構成は同じ符号を付して説明し、異なる構成のみ異なった符号を付して説明する。
【０００９】
免震構造物１は、図１および図２に示すように、鋼管杭２の頭部と縁切りした基礎３との間に免震装置４が設置され、該免震装置４を貫通して鋼管杭２と基礎３とにわたって引張材５が設けられて構成されている。
【００１０】
この鋼管杭２はコンクリート７が充填された鋼管６と、該鋼管６内に充填されたコンクリート７が溢れ出て杭頭部９を覆うようにして形成された根巻コンクリート１０とから構成され、該根巻コンクリート１０の上に設置された調整板１１が鋼管６内のコンクリート７に打設されたアンカーボルト１２で固定されている。このように根巻コンクリート１０が鋼管６の上面からわずかに盛り上がって形成されているため、鋼管６と調整板１１との間には隙間が形成されず、しかも軸力を、鋼管６ではなくコンクリート１０を介して支持地盤に伝達させる。
【００１１】
一方、基礎３は現場打ちコンクリートで形成され、プレキャストコンクリート柱１３とプレキャストコンクリート大梁１４とがＰＣ鋼線で接合されている。なお基礎３はプレキャストコンクリートで形成することもできる。
【００１２】
また免震装置４は、中央が開口した円形の薄鋼板１５と、中央が開口した円形の薄ゴム板１６とが交互に積層されるとともに、これらの上下端部に取付用鋼板１７が一体的に設けられて構成され、該取付用鋼板１７にボルト止めされた固定プレート１８で上部躯体３と根巻コンクリート１０との調整板１１にボルト１９で固定されている。そして、この免震装置４の中央部における縦方向の貫通孔２０を貫通して鋼管杭２と基礎３とにわたって引張材５が配線されている。
【００１３】
この引張材５は、図３および図４に示すように、ＰＣ鋼より線（またはＰＣ鋼線）がシース２７にアンボンドの状態で挿入されたものであり、これが芯管２１の周囲に８本配設され、その上側が基礎３内に配設されて球状の定着体２３で定着されるとともに、基礎３より下側が、免震装置４の貫通孔２０から鋼管杭２にかけて配設されたガイド管２５内に挿入されてモルタルなどのグラウト材２８で固着されている。
【００１４】
またガイド管２５内においてはシース２７の下端部からＰＣ鋼より線２２が突出して定着グリップ２４でスライド材２６に定着されている。このスライド材２６はモルタルまたはコンクリートで形成され、外周に塗布された剥離剤（図示せず）によりガイド管２５の下端部からシース２７の下端部までのストローク区間２９を上下動でき、上側への移動をスットパであるシース下端部の結束バンド３０で規制している。
【００１５】
このように引張材５はシース２７の部分がアンボンドで、かつ下端部がスライド材２６に定着されているため、上側に引っ張られるとスライド材２６が上側に移動し、この移動がストッパである結束バンド３０で規制される。
【００１６】
したがって、図５に示すように、大地震により基礎３が水平移動すると、引張材５が引っ張られるのでスライド材２６がストローク区間２９の長さ分上側に移動する。そして、この移動を結束バンド３０で止めることにより、基礎３の水平変形を制御して薄ゴム板１６が降伏するのを防ぐ。
【００１７】
またスライド材２６がガイド管２５を移動するときの摩擦によっても、基礎３の水平変形が規制されて薄ゴム板１６の降伏を防ぐことができる。
【００１８】
次に、図６および図７により免震構造物の構築方法について説明する。はじめに、地面８から頭部を突出させて鋼管６を打設する。そして、この鋼管６内にトレミー管などでコンクリート７を充填し、このコンクリート７を溢れ出させて頭部の周囲に根巻きコンクリート１０を形成する。この根巻きコンクリート１０は鋼管６の上面から僅か上側に盛り上げられ、しかも頭部の周囲を覆うように形成されている。
【００１９】
次に、図６に示すように、この根巻きコンクリート１０が硬化する前に、その上面に調整板１１をレベル調整しながら設置し、アンカーボルト１２で固定する。そして、図７に示すように、調整板１１の中央部における孔１１ａから、引張材５の下部側が挿入されたガイド管２５を鋼管６内のコンクリート７に差し込んで下側を埋設するとともに、上側を調整板１１から突出させておく。この突出したガイド管２５からは引張材５の上部も導出されている。
【００２０】
次に、根巻きコンクリート１０が硬化した後に、免震装置４を、ガイド管２５の上部側を貫通孔２０に挿入しながら調整板１１に設置してボルト１９で固定すると、免震装置４から引張材５の上部が突出した状態になる。
【００２１】
次に、この免震装置４の上に基礎３を形成し、この基礎３に引張材５の上部側を定着させた後に上部躯体を構築すると、図１に示すような免震構造物１が構築される。
【００２２】
なお、上記の免震装置４は調整板１１とともに鋼管６内にコンクリート７が充填される前に、鋼管６の上面から僅かに離した状態で設置した後、調整板１１の下面に到達するまで鋼管６内にコンクリート７を充填し、該コンクリートを鋼管６から溢れ出させて杭頭部９の周囲に根巻きコンクリート１０を形成し、この根巻きコンクリート１０が硬化する前に免震装置４をレベル調整して固定することもできる。
【図面の簡単な説明】
【００２３】
【図１】免震構造物の断面図である。
【図２】図１のＡ−Ａ線断面図である。
【図３】引張材の断面図である。
【図４】（１）は図３のＢ−Ｂ線断面図、（２）は同Ｃ−Ｃ線断面図、（３）は同Ｄ−Ｄ線断面図である。
【図５】大地震によって水平変形した免震構造物の断面図である。
【図６】鋼管内にコンクリートを充填した断面図である。
【図７】根巻コンクリートに免震構造物を設置した断面図である。
【図８】従来の免震構造物を示し、（１）は平面図、（２）は同断面図である。
【符号の説明】
【００２４】
１、３１  免震構造物
２  鋼管杭
３、３２  基礎
４、３４  免震装置
５  引張材
６  鋼管柱
７  コンクリート
８  地面
９  杭頭部
１０  根巻きコンクリート
１１  調整板
１１ａ  孔
１２  アンカーボルト
１３  現場打ちコンクリート柱
１４  現場打ちコンクリート梁
１５、３６  薄鋼板
１６、３７  薄ゴム板
１８  固定プレート
１９  ボルト
２０  貫通孔
２１  芯管
２２  ＰＣ鋼より線
２３  定着体
２４  定着グリップ
２５  ガイド管
２６  スライド材
２７  シース
２８  グラウト材
２９  ストローク区間
３０  ストッパ
３３  上部躯体
３５  免震ダンパ
３８  取付鋼板
【図１】
2006291470.tif 000003
【図２】
2006291470.tif 000004
【図３】
2006291470.tif 000005
【図４】
2006291470.tif 000006
【図５】
2006291470.tif 000007
【図６】
2006291470.tif 000008
【図７】
2006291470.tif 000009
【図８】
2006291470.tif 000010